(57)【特許請求の範囲】
【請求項１】
床スラブと、床スラブのスラブ面上に設けられてスラブ面の不陸を吸収する不陸吸収層と、不陸吸収層上に設けられた下地層と、下地層上に設けられた床仕上げ層とを備え、
室又は廊下の床仕上げ層において室又は廊下の周辺部に位置される床仕上げ層の下方に設けられた不陸吸収層が、スラブ面の不陸を吸収するゴムを備えた不陸吸収層に形成され、
室又は廊下の床仕上げ層において室又は廊下の周辺部以外の中央側に位置される床仕上げ層の下方に設けられた不陸吸収層が、スラブ面の不陸を吸収する無機質繊維による不陸吸収層に形成され、
ゴムを備えた不陸吸収層は、スラブ面上に載置されてスラブ面の不陸を吸収する複数の凸部を備えた複数のゴムブロック体と、間隔を隔てて設けられた複数のゴムブロック体の上に跨るように設けられた板部とを備えた床構造の構築方法であって、
下地層又は下地層の一部を形成する板材と、当該板材の一方の板面に並ぶように設けられたゴムを備えた不陸吸収層及び無機質繊維による不陸吸収層により形成された不陸吸収層と、を備えた複合部材を用いたことを特徴とする床構造の構築方法。
【請求項２】
複合部材は、下地層又は下地層の一部を形成する板材の一方の板面に設けられた無機質繊維による不陸吸収層の一部を除去して、当該不陸吸収層の一部を除去した部分にゴムを備えた不陸吸収層が設けられるようにして形成されたことを特徴とする請求項１に記載の床構造の構築方法。
【発明の詳細な説明】
【技術分野】
【０００１】
本発明は、室又は廊下における床の軽量床衝撃音低減性能の向上およびクッション性確保と室又は廊下における床周辺部の沈み込み抑制とを両立した床構造の構築方法に関する。
【背景技術】
【０００２】
パーティクルボードや合板等の床パネルの下に、部分的にゴムを配置すると共にこのゴムを配置しない空気層内にグラスウールやロックウール等の多孔体を配置して構成された床構造が知られている（例えば、特許文献１等参照）。
【先行技術文献】
【特許文献】
【０００３】
【特許文献１】特開平７−３４６４２号公報
【発明の概要】
【発明が解決しようとする課題】
【０００４】
従来の直張工法による床構造の場合、例えば、人が床上で転倒した場合に、床からの反発力が大きいため、転倒時の衝撃が大きい。また、室又は廊下の床パネルの周辺部の下面にゴムが配置されているとしても、点在して配置されるため、室又は廊下の床の周辺部に荷重が加わった場合、床の沈み込みが大きくなってしまう。
本発明は、室又は廊下の床の中央側においては転倒時の衝撃を緩和するクッション性に優れ、かつ、室又は廊下の床の周辺部の沈み込みを抑制できるとともに、軽量床衝撃音低減性能が向上し、更にスラブ面の不陸を吸収できる床構造の構築方法を提供する。
【課題を解決するための手段】
【０００５】
本発明に係る床構造の構築方法は、床スラブと、床スラブのスラブ面上に設けられてスラブ面の不陸を吸収する不陸吸収層と、不陸吸収層上に設けられた下地層と、下地層上に設けられた床仕上げ層とを備えた床構造であって、室又は廊下の床仕上げ層において室又は廊下の周辺部に位置される床仕上げ層の下方に設けられた不陸吸収層が、スラブ面の不陸を吸収するゴムを備えた不陸吸収層に形成され、室又は廊下の床仕上げ層において室又は廊下の周辺部以外の中央側に位置される床仕上げ層の下方に設けられた不陸吸収層が、スラブ面の不陸を吸収する無機質繊維による不陸吸収層に形成され、ゴムを備えた不陸吸収層は、スラブ面上に載置されてスラブ面の不陸を吸収する複数の凸部を備えた複数のゴムブロック体と、間隔を隔てて設けられた複数のゴムブロック体の上に跨るように設けられた板部とを備えた床構造の構築方法であって、下地層又は下地層の一部を形成する板材と、当該板材の一方の板面に並ぶように設けられたゴムを備えた不陸吸収層及び無機質繊維による不陸吸収層により形成された不陸吸収層と、を備えた複合部材を用いたので、室又は廊下の床の中央側においては無機質繊維による不陸吸収層により転倒時の衝撃を緩和するクッション性に優れ、かつ、室又は廊下の床の周辺部においてはゴムを備えた不陸吸収層により沈み込みを抑制できるとともに、スラブ面との接触面積が減ることにより、スラブ面の不陸を効果的に吸収できるようになるとともに、軽量床衝撃音低減性能が向上し、また、ゴムを備えた不陸吸収層のコストを低減できる床構造を容易に構築できる。
さらに、複合部材は、下地層又は下地層の一部を形成する板材の一方の板面に設けられた無機質繊維による不陸吸収層の一部を除去して、当該不陸吸収層の一部を除去した部分にゴムを備えた不陸吸収層が設けられるようにして形成されたので、現場にて上記床構造を容易に構築できるようになる。
【図面の簡単な説明】
【０００６】
【図１】界壁部における床構造を示す断面図。
【図２】床構造の施工手順を示す図。
【図３】床構造が適用される一戸の平面図。
【図４】床構造の適用例を示す断面図。
【図５】床構造の適用例を示す断面図。
【発明を実施するための形態】
【０００７】
実施形態の床構造を図１乃至図５に基づいて説明する。
図１に示すように、実施形態による床構造１は、床スラブ２と、床スラブ２のスラブ面２１上に設けられてスラブ面２１の不陸を吸収する不陸吸収層３と、不陸吸収層３上に設けられた下地層４と、下地層４上に設けられた床仕上げ層５とを備えた構成である。
【０００８】
不陸吸収層３は、スラブ面２１の不陸を吸収するゴムを備えた不陸吸収層６と、スラブ面２１の不陸を吸収する無機質繊維による不陸吸収層７とを備える。
【０００９】
ゴムを備えた不陸吸収層６は、板部６１とゴム部６２とで構成される。
板部６１は、例えば板面が長尺な長方形状に形成された所定厚さの長尺な長方形状の構造用合板により構成される（図２（ｂ）参照）。
ゴム部６２は、板部６１の相対向する板面のうちの一方の板面（下面）に、当該板面の長手方向に沿った所定のピッチ（中心間間隔）Ｈを隔てて取付けられた複数のゴムブロック体６３；６３…により構成される（図２（ｂ）参照）。このように、ゴム部６２は、板部６１の一方の板面（下面）に、所定のピッチＨを隔てて複数のゴムブロック体６３；６３が取付けられて構成されているため、ゴム部６２のコストを低減できるとともに、室又は廊下の床の周辺部の沈み込みを抑制できるようになる。
ゴムブロック体６３は、例えば板面が四角形状に形成された所定厚さの直方体形状で、一方の板面（上面）が平面に形成され、スラブ面２１と接触する他方の板面（下面）が凹凸面に形成された構成である。例えば、ゴムブロック体６３の他方の板面の凸部６４は、スラブ面２１上に点状接触状態に載置されるように先端部が球面又は点状に形成された山形の突起部により構成されている。また、ゴムブロック体６３の他方の板面の凹部６５は、他方の板面（上面）に近づく方向に窪んで底部が球面凹形状に形成された窪み部により構成される。
即ち、ゴムブロック体６３は、スラブ面２１と接触する他方の板面（下面）に先端部が球面又は点状に形成された複数の凸部６４；６４…を備えており、スラブ面２１上に点状接触状態に載置されるようになって、スラブ面２１との接触面積が減ることにより、スラブ面２１の不陸を効果的に吸収できるようになる（不陸吸収性アップ）とともに、軽量床衝撃音低減性能が向上するように構成されている。
尚、ゴムブロック体６３は、ゴムブロック体６３の上方に位置される床仕上げ層５の沈み込みを防止できるように比較的硬度の高いゴムを用いる。
板部６１の一方の板面（下面）に複数のゴムブロック体６３；６３…の一方の板面（上面）を接着剤等の取付手段で取付けることで、複数のゴムブロック体６３；６３…と板部６１とが積層されて構成された不陸吸収体６０が形成される（図２（ｂ）参照）。
【００１０】
無機質繊維による不陸吸収層７は、例えばグラスウール又はロックウール等の無機質繊維を板状に成形した無機質繊維板により形成される。
【００１１】
不陸吸収体６０の複数のゴムブロック体６３；６３…の凸部６４の先端側を接着剤等で床スラブ２のスラブ面２１に取付けることで、不陸吸収体６０が床スラブ２のスラブ面２１に固定される。
そして、不陸吸収層７が不陸吸収体６０と並ぶように床スラブ２のスラブ面２１に設置されることにより、床スラブ２のスラブ面２１上に不陸吸収層６と不陸吸収層７とが並ぶように設置された不陸吸収層３が構成される。
【００１２】
以上のようにして、室又は廊下の床の中央側においては下地層４及び床仕上げ層５が無機質繊維による不陸吸収層７により支持され、かつ、室又は廊下の床の周辺部においては下地層４及び床仕上げ層５が板部６１とゴム部６２とで構成された不陸吸収層６により支持された床構造１を構築することにより、室又は廊下の床の中央側においては無機質繊維による不陸吸収層７により転倒時の衝撃を緩和するクッション性に優れ、かつ、室又は廊下の床の周辺部においては板部６１とゴム部６２とで構成された比較的剛性の大きい不陸吸収層６により床の沈み込みを抑制できるとともに、スラブ面２１の不陸を吸収できる床構造１となる。
尚、この場合、板部６１とゴム部６２とで構成された不陸吸収層６の厚さと無機質繊維による不陸吸収層７の厚さとが同じ厚さに形成されるようにすれば、室又は廊下の周辺部の床の沈み込みをより抑制できるようになる。
【００１３】
下地層４は、例えば、パーティクルボード４１とアスファルトマット４２とガラス繊維不織布入り石膏板４３とが積層されて構成される。アスファルトマット４２は、例えば、アスファルトに熱可塑性エラストマーを均一に混和させてなるマトリクスに充填材を分散させて形成されたものである。尚、ガラス繊維不織布入り石膏板４３の代わりに針葉樹合板を用いても良い。
【００１４】
床仕上げ層５は、例えば、フローリング等の床仕上げ材が下地層４上に設けられて構成される。
床仕上げ材は、釘、接着剤などの取付手段によって下地層４に固定される。
【００１５】
尚、ゴムブロック体６３を形成するゴムは、例えば、ショアＡ硬度が４０度から７０度程度の硬度のゴムを用いたことにより、室又は廊下の床の周辺部の沈み込みを抑制できる剛性とスラブ面の不陸を吸収できる柔軟性とを有するとともに、軽量床衝撃音低減性能が向上する床構造を構築できる。
また、板部６１は、例えば板面の長辺寸法Ｌが１８００ｍｍ程度、板面の短辺寸法Ｗが５０ｍｍ程度、厚さ寸法Ｄが１２ｍｍ程度の長尺な長方形の構造用合板により構成することが好ましい。板部６１の板面の短辺寸法Ｗは、例えば、４０ｍｍ〜１００ｍｍ程度が好ましい。
また、ゴムブロック体６３は、例えば正方形の板面の一辺の寸法（幅寸法）が５０ｍｍ、厚さ寸法が１３ｍｍの直方体形状に形成される。ゴムブロック体６３の幅寸法は例えば４０ｍｍ角〜６０ｍｍ角とすることが好ましい。
また、板部６１の一方の板面（下面）に長手方向に沿って間隔を隔てて隣り合うゴムブロック体６３の中心とゴムブロック体６３の中心との間の距離であるピッチＨは例えば３００ｍｍ〜５００ｍｍとすることが好ましい。
また、不陸吸収層７は例えばグラスウール又はロックウール等の無機質繊維を例えば２５ｍｍの厚さ寸法となるように板状に成形した無機質繊維板により形成される。
不陸吸収層３と下地層４と床仕上げ層５とが積層された積層体の全体の厚さは例えば５０ｍｍ〜１００ｍｍ程度、好ましく６０ｍｍ程度以下にすることが望ましい。
例えば、不陸吸収層３の厚さ寸法を２５ｍｍ、パーティクルボード４１の厚さ寸法を９．５ｍｍ、アスファルトマット４２の厚さ寸法を４ｍｍ、ガラス繊維不織布入り石膏板４３の厚さ寸法を９．５ｍｍ、床仕上げ層５の厚さ寸法を１２ｍｍとする。
また、図１に示す界壁部においては、例えば、アスファルトマット４２の端面及びパーティクルボード４１の端面と界壁２２との間の間隔ａを１０ｍｍ、板部６１とゴム部６２とで構成された不陸吸収層６の端面と界壁２２との間の間隔ｂを５０ｍｍ〜１００ｍｍ、ガラス繊維不織布入り石膏板４３の端面及び床仕上げ層５の端面と界壁２２との間の間隔は界壁２２に設けられた巾木２３で隠れる程度の２〜３ｍｍとする。
上述のように、板部６１とゴム部６２とで構成された不陸吸収層６の端面と界壁２２との間の間隔ｂを５０ｍｍ〜１００ｍｍとしたことで、床仕上げ層５の仕上げ床面の平滑性を向上させることができる。
尚、上述した寸法はあくまで一例である。
【００１６】
即ち、ゴムを備えた不陸吸収層６は、室又は廊下の床仕上げ層５において室又は廊下の周辺部に位置される床仕上げ層５の下方に設けられる。廊下の床仕上げ層５において室又は廊下の周辺部は、荷重が集中するか、又は、荷重が集中する可能性が高い部分である。
不陸吸収層６は、例えば、図１に示すように、箪笥等の家具等の重量物が設置されて荷重が集中する可能性が高い床仕上げ層５の下方に位置する界壁２２の近傍において、界壁２２に沿って設けられるため、ゴム部６２と板部６１との剛性により、室の周辺部の床の沈み込みを抑制できるとともに、軽量床衝撃音低減性能を向上させ、更にスラブ面２１の不陸を吸収できる床構造１となる。
【００１７】
また、無機質繊維により形成された不陸吸収層７は、室又は廊下の床仕上げ層５において室又は廊下の周辺部以外の中央側に位置される床仕上げ層５の下方に設けられる。よって、不陸吸収層７上の床上で人が転倒した場合、不陸吸収層７が沈み込みやすくなり、転倒時の衝撃を緩和するクッション性に優れるとともに、スラブ面２１の不陸を吸収できる床構造１となる。
【００１８】
上述した床構造１の構築例を図１及び図２を参照しながら説明する。尚、図１及び図２は図３に示すマンションの一戸の平面図におけるＣ部である界壁部の床構造を示す。
例えば、図２（ａ）に示すように、不陸吸収層７とパーティクルボード４１とアスファルトマット４２とが積層されて一体となった積層板材７０Ａを用いる。
図２（ｂ）に示すように、不陸吸収体６０の複数のゴムブロック体６３；６３…の突起部（凸部６４）の先端部に例えばウレタン系接着剤を塗布し、ウレタン系接着剤を塗布された複数のゴムブロック体６３；６３…の凸部６４を、界壁２２近傍の床スラブ２のスラブ面２１に押し付けて、不陸吸収体６０が界壁２２に沿って位置されるように不陸吸収体６０を床スラブ２のスラブ面２１に固定する。
また、積層板材７０Ａの不陸吸収層７側において不陸吸収体６０が位置される部分の不陸吸収層７をカットし、カットされた無機質繊維７１が除去されてパーティクルボード４１の板面（下面）が露出する不陸吸収体収容凹部７２を備えた積層板材７０Ｂを用い、図２（ｃ）に示すように、積層板材７０Ｂの不陸吸収体収容凹部７２の底面となるパーティクルボード４１の板面（下面）と不陸吸収体６０の合板部１１の板面（上面）とを接触させることによって、下地層４の一部を形成する板材としてのパーティクルボード４１及びアスファルトマット４２と、パーティクルボード４１の板面（下面）に並ぶように設けられた不陸吸収層６及び不陸吸収層７により形成された不陸吸収層３と、を備えた複合部材７０が形成される。
そして、スラブ面２１上に敷設された複合板材７０の上面に捨て貼り材としてのガラス繊維不織布入り石膏板４３を敷設した後、ガラス繊維不織布入り石膏板４３を複合板材７０のパーティクルボード４１にビス等の固定手段で固定する。尚、不陸吸収体６０に対応するガラス繊維不織布入り石膏板４３の部位は、ビス等の固定手段で不陸吸収体６０の板部６１に確実に固定する。
さらに、床仕上げ材を、釘、接着剤などの取付手段によって下地層４に固定する。
以上により、複合部材７０を用いた床構造１が構築される。
【００１９】
尚、上記では、図１に基づいて、界壁部近傍の床構造１を例にして説明したが、実施形態１の床構造１は、例えば、図３のＡ部である玄関框部−廊下部、図３のＢ部である和室−ＬＤＫ部、図３のＤ部である間仕切壁部、図３のＥ部である水廻り−廊下部の床構造にも適用可能である。
【００２０】
図４（ａ）は玄関框部−廊下部の床構造の断面を示す。即ち、玄関框部８０と隣接する廊下部の床構造として実施形態１の床構造１を採用できる。つまり、玄関框部８０と隣接する廊下部における玄関框部８０の近傍（廊下の周辺部）の床仕上げ層５には人の出入等で荷重が集中する可能性が高い。従って、玄関框部８０の近傍の床仕上げ層５の下方に不陸吸収層６を設けた床構造１を構築する。
【００２１】
図４（ｂ）は和室−ＬＤＫ部の床構造の断面を示す。即ち、畳８２が敷き詰められた和室とＬＤＫ部との境界部分（室の周辺部）である床仕上げ層としての敷居８１には、戸及び壁の荷重が集中するとともに、人の出入等で荷重が集中する可能性が高い。従って、敷居８１の下方に不陸吸収層６を設けた床構造１を構築する。
【００２２】
図４（ｃ）は間仕切壁部を支える床構造の断面を示す。即ち、室又は廊下の周辺部に位置される間仕切壁部８３下の床仕上げ層５には間仕切壁部８３の荷重が集中する。従って、間仕切壁部８３の下方に不陸吸収層６を設けた床構造１を構築する。
【００２３】
図５（ａ）は水廻り部−廊下部の床構造のタイプ１の断面を示す。即ち、水廻り部（浴室、洗面所、便所、脱衣所等が設けられた区画）は、配管等を設置しなければならない関係上、床下空間を広くとる必要があることから、水廻り部の床構造は二重床構造９２とすることが多い。この場合、水廻り部と廊下部との境界部分には土台９７を設け、この土台９７の上に、廊下部の床構造１の床仕上げ層５の端縁と二重床構造９２の床仕上げ層９５の端縁とを載置し、これら端縁を隠すように見切り材９６を設けた構成とすることで、床構造１の床仕上げ層５と二重床構造９２の床仕上げ層９５とが個別に動けるように構成される。この場合も、水廻り部と廊下部との境界部分の近傍（廊下の周辺部）の床仕上げ層５には人の出入等で荷重が集中する可能性が高い。従って、境界部分である土台９７の近傍の床仕上げ層５の下方に不陸吸収層６を設けた床構造１を構築する。尚、図５（ａ）において、９０は引き戸、９１は戸袋、９３は二重床構造９２の支持脚、９４は二重床構造９２の下地層である。
【００２４】
図５（ｂ）は水廻り部−廊下部の床構造のタイプ２の断面を示す。尚、図５（ｂ）において図５（ａ）と同一又は相当部分については、図５（ａ）と同一符号を付し、その説明を省略する。
このタイプ２では、水廻り部の二重床構造９２と廊下部の床構造１との境界部分（廊下の周辺部）の床仕上げ層５には人の出入等で荷重が集中する可能性が高い。そこで、水廻り部の二重床構造９２と廊下部の床構造１との境界部分の下方に不陸吸収層６を設けた床構造１を構築する。
【００２５】
実施形態の床構造１によれば、不陸吸収層６を構成するゴム部６２と板部６１との剛性により、荷重が集中しやすい室又は廊下の周辺部の床の沈み込みを抑制でき、かつ、室又は廊下の中央側における不陸吸収層７上の床上で人が転倒した場合、無機質繊維により形成された不陸吸収層７が沈み込みやすくなり、転倒時の衝撃を緩和するクッション性に優れるとともに、スラブ面２１の不陸を吸収できる床構造１となる。特に、スラブ面２１と接触する他方の板面（下面）に複数の凸部６４；６４…を備えた構成のゴムブロック体６３によりゴム部６２を構成したので、スラブ面２１との接触面積が減ることにより、スラブ面２１の不陸を効果的に吸収できるようになるとともに、軽量床衝撃音低減性能が向上する。
例えば、図３に示すように、室又は廊下の周辺部における床仕上げ層５下においては複合部材７０を用いて、室又は廊下の周辺部における床仕上げ層５下に不陸吸収体６０を設置することで不陸吸収層６を設け、また、室又は廊下の中央側における床仕上げ層５下においては不陸吸収層７とパーティクルボード４１とアスファルトマット４２とが積層されて一体となった積層板材７０Ａを用いて、室又は廊下の中央側における床仕上げ層５下に不陸吸収層７を設けるようにしたので、軽量床衝撃音低減性能を向上させ、更に室又は廊下の床の中央側においては転倒時の衝撃を緩和するクッション性に優れ、かつ、室又は廊下の床の周辺部の沈み込みを抑制できるとともに、スラブ面２１の不陸を吸収できる床構造１を提供できる。
【００２６】
尚、下地層４又は下地層４の一部を形成する板材としての例えばパーティクルボード４１とアスファルトマット４２とが積層されて一体となった積層板材の一方の板面に並ぶように設けられたゴムを備えた不陸吸収層６及び無機質繊維による不陸吸収層７が設けられた複合部材７０をあらかじめ工場で製作しておいて、当該複合部材７０を現場に搬入し、当該複合部材７０を用いて床構造１を構築すれば、床構造１を簡単に構築することができるようになる。
【００２７】
尚、下地層４の構成は、特に、限定されない。例えば、下地層４を一枚の合板等の板材で構成するようにしてもよい。
【符号の説明】
【００２８】
１  床構造、２  床スラブ、３  不陸吸収層、４  下地層、５  床仕上げ層、
６  ゴムを備えた不陸吸収層、７  無機質繊維により形成された不陸吸収層、
２１  スラブ面、６１  板部、６３  ゴムブロック体、７０  複合部材。
【図１】
0006317866.tif 000002
【図２】
0006317866.tif 000003
【図３】
0006317866.tif 000004
【図４】
0006317866.tif 000005
【図５】
0006317866.tif 000006